(57)【要約】【課題】安価でかつ持ち運びできる程度の軽量な構成でありながら、風呂内の入浴スペースが従来例に比べてより広くなり、かつ使い勝手のよい、長寿命の簡易風呂を提供すること。【解決手段】この簡易風呂１００は、被介護者が椅子２に腰掛けた状態で入浴可能なものであって、上部が開放され、かつ折り畳み自在な耐水性の袋体１と、この袋体１内の底部に敷設され、椅子２を載置可能な四角形の底板３と、この底板３の四隅に立設され、かつ袋体１を伸展させたときの被介護者の体格に応じた所定高さ位置に係止可能な支柱４とを備えている。【選択図】図１
2007283133.tif 000002
【特許請求の範囲】
【請求項１】
上部が開放され、かつ折り畳み自在な耐水性の袋体と、
この袋体内の底部に敷設される底板と、
この底板の外縁の所定部位に立設され、かつ前記袋体を伸展させたときの所定高さ位置に該袋体を係止可能な支柱とを備えたことを特徴とする簡易風呂。
【請求項２】
前記袋体は断面略四角形状に形成されるとともに、前記底板はこの袋体の断面積よりも小さい四角形状に形成されており、前記底板の各隅にそれぞれ立設された支柱に対して係止可能な係止部を、前記袋体の前記断面における各隅に備えたことを特徴とする請求項１記載の簡易風呂。
【請求項３】
前記係止部は前記支柱を挿通可能なループであり、かつ該係止部は前記支柱を立設したときの高さ方向の少なくとも最上部を含む所定個所に形成されていることを特徴とする請求項２記載の簡易風呂。
【請求項４】
前記支柱は該支柱を立設したときの高さ方向に伸縮可能であり、前記支柱が伸張されて最上部が前記所定高さ位置付近となった状態で該支柱の高さを固定可能な伸縮調整部を備えたことを特徴とする請求項１〜３のいずれか１項に記載の簡易風呂。
【請求項５】
前記支柱は該支柱を立設したときの高さ方向の所定箇所において、前記底板の外縁に沿って隣り合う支柱同士を着脱自在に連結する連結体を備えていることを特徴とする請求項１〜４のいずれか１項に記載の簡易風呂。
【請求項６】
前記袋体は、前記支柱を立設したときの高さ方向の所定箇所において、該袋体の外周を囲むように取付け可能な帯状体又は板状体を備えていることを特徴とする請求項１〜５のいずれか１項に記載の簡易風呂。
【請求項７】
前記袋体は、前記支柱を立設したときの高さ方向の所定箇所において、該袋体の外周を囲むように取付け可能な帯状体を備えるとともに、前記袋体と前記帯状体との間に挿通可能な板状体をさらに備えていることを特徴とする請求項１〜５のいずれか１項に記載の簡易風呂。
【請求項８】
上部が開放された耐水性の袋体を折り畳んだ状態で、該袋体内の底部に底板を敷設し、
この底板の外縁の所定部位に支柱を立設し、
前記袋体を伸展させた状態で、該袋体を前記支柱の所定高さ位置に係止するように構成したことを特徴とする簡易風呂の組み立て方法。
【発明の詳細な説明】
【技術分野】
【０００１】
本発明は、例えば高齢者や身体障害者等の被介護者が椅子に腰掛けた状態で入浴可能な簡易風呂及びその組み立て方法に関するものである。
【背景技術】
【０００２】
一般的な風呂は、浴槽を跨いで入浴するものであるため、例えば高齢者や身体障害者等の被介護者を、介護者が支えて入浴させることが困難となる。このため、自宅にいる被介護者のために、専用の入浴装置を備えた自動車でその自宅に回って、定期的な入浴サービスを行っている。また、介護施設では、専用のリフト装置を備えていることが多い。したがって、被介護者は、自宅や介護施設では、適切な入浴サービスを受けることができる。
【０００３】
ところで、被介護者は自宅や介護施設に引き篭もりがちであるので、たまには気分転換に旅行などをさせてあげたいことがある。その場合、自宅や介護施設では前記のような入浴サービスを受けることができても、通常、旅行先では前記のような一般的な風呂しか用意されていないため、被介護者の入浴が困難であるといった問題があった。
【０００４】
そこで、例えば特許文献１では、背もたれ部と座部と脚部を備えた椅子部と、柔軟でかつ水密な材料からなり折り畳み自在の浴槽部とが着脱自在に構成され、該椅子部に浴槽部の上部を支持するためのアームが回動可能に取り付けられ、前記浴槽部は上部が開口させられかつ前記椅子部の座部と床面とに載置し得る段付き形状の袋状体と、該袋状体の上部開口部の周縁に前記アームを取り付けて支持する支持部と、該袋状体を上部開口部から床面側まで開閉し得る水密なファスナーとを備えることを特徴とする折り畳み式簡易浴槽が開示されている。
【０００５】
この簡易浴槽によれば、袋状体のファスナーを開けるとともに、アームを下方に回動させて、被介護者を袋状体内に容易に移動させることができるので、被介護者の入浴を容易に行える、と記載されている。
【０００６】
また、特許文献２では、被介護者を寝かせた状態で、入浴させる簡易浴槽が開示されており、この浴槽は、ブロアで空気を供給することにより膨らませるプール状のものである。この簡易浴槽と同様の市販品によれば、被介護者の入浴姿勢が楽で、使用後はコンパクトに畳め、持ち運びも簡単である、とされている。
【０００７】
しかしながら、前記特許文献１では、アームや水密ファスナーといった複雑な構造であり、前記特許文献２では、ブロアを用いるために、いずれも高価なものとなってしまうといった問題があった。
【０００８】
これに対し、特許文献３では、内部に椅子を設置し、貯水を行い得るように上部を開放した耐水袋の外周に縦横両フレームを組み立て、上部横フレームに前記耐水袋を直接吊り下げて着脱自在に固定することにより、該耐水袋内への湯水の貯水状態を保持し得るようにした簡易風呂が開示されており、この簡易風呂では、部品点数が少ないことから、特許文献１，２に比べて安価のものとなる、と推察される。
【特許文献１】特開平１０−１２７５１１号公報
【特許文献２】特開２００３−０００６７０号公報
【特許文献３】特開平１０−２９５７７０号公報
【発明の開示】
【発明が解決しようとする課題】
【０００９】
前記特許文献３の簡易風呂を旅行先等に持ち運ぼうとすると、できるだけ軽量であることが好ましい。このためには、重量の大半を占めるフレーム部分をできるだけ小さいものとするのが望ましい。しかしながら、その場合には、前記簡易風呂は、耐水袋の外周にフレーム部分を設けているため、同袋内の入浴スペースはさらに狭くなってしまうといった問題がある。
【００１０】
また、前記特許文献３の簡易風呂では、フレームの高さは一定であるので、被介護者の体格の如何にかかわらず、湯面の高さは耐水袋内の湯量でしか調整できない。したがって、介護者が耐水袋外から被介護者を支えながら入浴させるときに、その耐水袋を吊り下げた上部横フレームが邪魔になって使い勝手が悪いといった問題がある。
【００１１】
さらに、前記特許文献３の簡易風呂では、耐水袋の底部に直接椅子を載せているため、椅子の脚部で耐水袋の底部を傷めるため、耐水袋の寿命が短くなるといった問題もある。
【００１２】
本発明は、このような状況に鑑みなされたものであって、安価でかつ持ち運びできる程度の軽量な構成でありながら、風呂内の入浴スペースが従来例に比べてより広くなり、かつ使い勝手のよい、長寿命の簡易風呂を提供することを目的としている。
【課題を解決するための手段】
【００１３】
本発明は、上部が開放され、かつ折り畳み自在な耐水性の袋体と、この袋体内の底部に敷設される底板と、この底板の外縁の所定部位に立設され、かつ前記袋体を伸展させたときの所定高さ位置に該袋体を係止可能な支柱とを備えたことを特徴とする簡易風呂として構成されている。なお、この袋体を係止可能な支柱の所定高さ位置は、１つである場合のみならず、複数である場合をも含むものとする。
【００１４】
本発明によれば、上部が開放され、かつ折り畳み自在な耐水性の袋体と、この袋体内の底部に敷設される底板と、この底板の外縁の所定部位に立設され、かつ前記袋体を伸展させたときの所定高さ位置に該袋体を係止可能な支柱とが備えられたので、従来例（特許文献１，２）のようにアームや水密ファスナーを使用し、或いはブロアを使用するといった複雑な構造ではなくなり、安価なものとなる。
【００１５】
また、簡易風呂を旅行先等に持ち運ぼうとしたときには、できるだけ軽量であることが好ましいが、ここでは底板と支柱とを袋体内に設けているため、それらを小型化できる。したがって、従来例（特許文献３）と同程度の重量であるとすると、袋体内の入浴スペースをより広くとることができる一方、前記従来例（特許文献３）と同程度の入浴スペースであるとすると、底板と支柱とをより小型化して、さらなる軽量化を図ることができる。
【００１６】
また、本発明によれば、袋体を伸展させたときの支柱に係止させる所定高さ位置を変えることにより、被介護者の体格の如何に応じて風呂自体の高さを調整することができるので、介護者が風呂外から被介護者を支えながら入浴させるときに、前記従来例（特許文献３）のように風呂自体の高さが邪魔にならず、使い勝手が良いものとなる。
【００１７】
さらに、本発明によれば、前記従来例（特許文献３）のように袋体内の底部に置いた底板上に椅子を載せたとしても、椅子の脚部が直接袋体内の底部に接触しないので、その椅子の脚部が袋体内の底部を傷めることがなくなり、袋体の寿命が長くなる。
【００１８】
また、袋体の材料や形状によっては、その底部内が滑りやすくなっていることから、前記従来例（特許文献２）では、その風呂の設置スペースが大きくなるものの、被介護者を寝かせた状態で入浴させるようになっており、また前記従来例（特許文献１，３）では、その風呂の設置スペースが小さくて済むように、風呂外又は風呂内に設置した椅子に被介護者を座らせることとしているが、被介護者を入浴させる際には、介護者がその被介護者を袋体の底部内で足を滑らさないようにして椅子まで支えていくことから、介護者の負担が大きい。
【００１９】
これに対して、本発明によれば、仮に介護者が支えた状態で被介護者を袋体内の底部の底板上に立たせたとしても、その被介護者の足には袋体内の底部が直接接触して滑りやすくなるおそれがなく、安全である。したがって、前記従来例（特許文献２）に比べて風呂の設置スペースが小さくて済むとともに、前記従来例（特許文献１，３）に比べて被介護者を入浴させる際の介護者の負担が大幅に軽減される。
【００２０】
請求項２記載の発明のように、前記袋体は断面略四角形状に形成されるとともに、前記底板はこの袋体の断面積よりも小さい四角形状に形成されており、前記底板の各隅にそれぞれ立設された支柱に対して係止可能な係止部を、前記袋体の前記断面における各隅に備えることが好ましい。
【００２１】
請求項２記載の発明によれば、前記袋体は断面略四角形状に形成されるとともに、前記底板はこの袋体の断面積よりも小さい四角形状に形成されており、前記底板の各隅にそれぞれ立設された支柱に対して係止可能な係止部を、前記袋体の前記断面における各隅に備えたので、支柱の上端同士が袋体で連結される。これにより、袋体にお湯を漲ったときの水圧に耐えて、袋体内の入浴スペースをできるだけ広くすることができる。
【００２２】
請求項３記載の発明のように、前記係止部は前記支柱を挿通可能なループであり、かつ該係止部は前記支柱を立設したときの高さ方向の少なくとも最上部を含む所定個所に形成されていることが好ましい。
【００２３】
請求項３記載の発明によれば、前記係止部は前記支柱を挿通可能なループであり、かつ該係止部は前記支柱を立設したときの高さ方向の少なくとも最上部を含む所定個所に形成されているので、支柱の少なくとも上端同士が前記ループを介して袋体で連結される。これにより、袋体を支柱に挿通させるだけで容易に係止することができ、しかも袋体にお湯を漲ったときの水圧に耐えて、袋体内の入浴スペースをできるだけ広くすることができる。
【００２４】
請求項４記載の発明のように、前記支柱は該支柱を立設したときの高さ方向に伸縮可能であり、前記支柱が伸張されて最上部が前記所定高さ位置付近となった状態で該支柱の高さを固定可能な伸縮調整部を備えていることが好ましい。
【００２５】
請求項４記載の発明によれば、前記支柱は該支柱を立設したときの高さ方向に伸縮可能であり、前記支柱が伸張されて最上部が前記所定高さ位置付近となった状態で該支柱の高さを固定可能な伸縮調整部を備えたので、支柱とともに袋体の高さを可変として、被介護者の体格の如何に応じて風呂自体の高さを調整することができる。これにより、介護者が風呂外から被介護者を支えながら入浴させるときに、風呂自体の高さが邪魔にならず、使い勝手がさらに良いものとなる。
【００２６】
請求項５記載の発明のように、前記支柱は該支柱を立設したときの高さ方向の所定箇所において、前記底板の外縁に沿って隣り合う支柱同士を着脱自在に連結する連結体を備えていることが好ましい。
【００２７】
請求項５記載の発明によれば、前記支柱は該支柱を立設したときの高さ方向の所定箇所において、前記底板の外縁に沿って隣り合う支柱同士を着脱自在に連結する連結体が備えられているので、適当な高さ位置で支柱同士が連結体で連結される。これにより、袋体にお湯を漲ったときの水圧により確実に耐えて、袋体内の入浴スペースをできるだけ広くすることができる。
【００２８】
請求項６記載の発明のように、前記袋体は、前記支柱を立設したときの高さ方向の所定箇所において、該袋体の外周を囲むように取付け可能な帯状体又は板状体を備えていることが好ましい。
【００２９】
請求項６記載の発明によれば、前記袋体には、前記支柱を立設したときの高さ方向の所定箇所において、該袋体の外周を囲むように取付け可能な帯状体又は板状体が備えられているので、適当な高さ位置で支柱同士が袋体と帯状体又は板状体とで連結される。これにより、袋体にお湯を漲ったときの水圧により確実に耐えて、袋体内の入浴スペースをできるだけ広くすることができる。
【００３０】
請求項７記載の発明のように、前記袋体は、前記支柱を立設したときの高さ方向の所定箇所において、該袋体の外周を囲むように取付け可能な帯状体を備えるとともに、前記袋体と前記帯状体との間に挿通可能な板状体をさらに備えていることが好ましい。
【００３１】
請求項７記載の発明によれば、前記袋体は、前記支柱を立設したときの高さ方向の所定箇所において、該袋体の外周を囲むように取付け可能な帯状体を備えるとともに、前記袋体と前記帯状体との間に挿通可能な板状体をさらに備えたので、袋体が板状体で補強される。これにより、袋体にお湯を漲ったときの水圧により確実に耐えて、袋体内の入浴スペースをできるだけ広くすることができる。
【００３２】
請求項８記載の発明は、上部が開放された耐水性の袋体を折り畳んだ状態で、該袋体内の底部に底板を敷設し、この底板の外縁の所定部位に支柱を立設し、前記袋体を伸展させた状態で、該袋体を前記支柱の所定高さ位置に係止するように構成したことを特徴とするものである。
【００３３】
請求項８記載の発明によれば、上部が開放された耐水性の袋体を折り畳んだ状態で、該袋体内の底部に底板が敷設され、この底板の外縁の所定部位に支柱が立設され、前記袋体を伸展させた状態で、該袋体が前記支柱の所定高さ位置に係止されるように構成されたので、簡易風呂を旅行先等で容易に組み立てることができ、或いはこの組み立てたものを容易に分解することができる。また、このようにして組み立てられた簡易風呂は、前記本発明による作用効果を奏する。
【発明の効果】
【００３４】
本発明によれば、上部が開放され、かつ折り畳み自在な耐水性の袋体と、この袋体内の底部に敷設される底板と、この底板の外縁の所定部位に立設され、かつ前記袋体を伸展させたときの所定高さ位置に該袋体を係止可能な支柱とが備えられたので、従来例（特許文献１，２）のようにアームや水密ファスナーを使用し、或いはブロアを使用するといった複雑な構造ではなくなり、安価なものとなる。
【００３５】
また、旅行先等に持ち運ぼうとしたときには、できるだけ軽量であることが好ましいが、ここでは底板と支柱とを袋体内に設けているため、それらを小型化できる。したがって、従来例（特許文献３）と同程度の重量であるとすると、袋体内の入浴スペースをより広くとることができる一方、前記従来例（特許文献３）と同程度の入浴スペースであるとすると、底板と支柱とをより小型化して、さらなる軽量化を図ることができる。
【００３６】
また、本発明によれば、袋体を伸展させたときの支柱に係止させる所定高さ位置を変えることにより、被介護者の体格の如何に応じて風呂自体の高さを調整することができるので、介護者が風呂外から被介護者を支えながら入浴させるときに、前記従来例（特許文献３）のように風呂自体の高さが邪魔にならず、使い勝手が良いものとなる。
【００３７】
さらに、本発明によれば、前記従来例（特許文献３）のように袋体内の底部に置いた底板上に椅子を載せたとしても、椅子の脚部が直接袋体内の底部に接触しないので、その椅子の脚部が袋体内の底部を傷めることがなくなり、袋体の寿命が長くなる。
【００３８】
また、袋体の材料や形状によっては、その底部内が滑りやすくなっていることから、前記従来例（特許文献２）では、その風呂の設置スペースが大きくなるものの、被介護者を寝かせた状態で入浴させるようになっており、また前記従来例（特許文献１，３）では、その風呂のスペースが小さくて済むように、風呂外又は風呂内に設置した椅子に被介護者を座らせることとしているが、被介護者を入浴させる際には、介護者がその被介護者を袋体の底部内で足を滑らさないようにして椅子まで支えていくことから、介護者の負担が大きい。
【００３９】
これに対して、本発明によれば、仮に介護者が支えた状態で被介護者を袋体内の底部の底板上に立たせたとしても、その被介護者の足には袋体内の底部が直接接触して滑りやすくなるおそれがなく、安全である。したがって、前記従来例（特許文献２）に比べて風呂の設置スペースが小さくて済むとともに、前記従来例（特許文献１，３）に比べて被介護者を入浴させる際の介護者の負担が大幅に軽減される。
【００４０】
請求項８記載の発明によれば、上部が開放された耐水性の袋体を折り畳んだ状態で、該袋体内の底部に底板が敷設され、この底板の外縁の所定部位に支柱が立設され、前記袋体を伸展させた状態で、該袋体が前記支柱の所定高さ位置に係止されるように構成されたので、簡易風呂を旅行先等で容易に組み立てることができ、或いはこの組み立てたものを容易に分解することができる。また、このようにして組み立てられた簡易風呂は、前記本発明による作用効果を奏する。
【発明を実施するための最良の形態】
【００４１】
（実施形態１）
図１は本発明の実施形態１に係る簡易風呂の概略構成を示す斜視図、図２はこの簡易風呂の組み立て中の様子を示す斜視図、図７はリングの構造を示す説明図であって、（ａ）は左右のリング本体の結合時、（ｂ）は切り離し時をそれぞれ示すものである。また、図８（ａ）は伸縮調整部の構造を示す説明図である。
【００４２】
図１，図２に示すように、本実施形態１に係る簡易風呂１００は、使用者としての例えば高齢者や身体障害者等の被介護者（図示省略）が椅子２に腰掛けた状態で入浴可能なものであって、上部が開放され、かつ折り畳み自在な袋体１と、この袋体１内の底部に敷設され、前記椅子２を載置可能な底板３と、この底板３の外縁の所定部位に立設され、かつ前記袋体１を伸展させたときの所定高さ位置に該袋体１を係止可能な支柱４とを備えている。なお、この袋体１を係止可能な支柱４の所定高さ位置は、１つである場合のみならず、複数である場合をも含むものとする。
【００４３】
袋体１は、市販のナイロン製やポリエステル製の防水シート（布に防水加工を施したものを含む。）、或いはゴムやスポンジジャージーなどを適宜形状にカットしたものを貼り合わせ、或いは縫い合わせてなり、その組み立て形状は、例えば底部が５００×６００ｍｍ程度で、高さが９００〜１１００ｍｍ程度の上部が開放された箱状のものであって、その底部からの高さが５０ｍｍ程度までを二重にして補強した補強部８ａを備えている（図５，６参照）。なお、袋体１の各部の厚さは、介護者や被介護者によって加えられうる物理的な力と、内部にお湯を漲ったときの水圧とに十分に耐えうる程度のものとされる。
【００４４】
この補強部８ａのできるだけ下側には、排水栓１１が取り付けられており、これにより入浴後の排水を速やかに行うことができるようになっている。袋体１の上縁部には、ほつれを防止するために図略の折り返し等によるいわゆる縁取り加工が施されている。この上縁部の四隅には、それぞれリング６を挿通することのできるループ７が取り付けられている。
【００４５】
リング６は、例えば市販の金属製スナップリングであって、図７（ｂ）に示すように、そのリング６を支点６１を中心として、左右のリング本体６２，６３をそれぞれの係合部６４，６５で一時的に切り離してループ７と支柱４の長孔５とを挿通した後に、図７（ａ）に示すように、再度結合させて袋体１の上縁部の四隅を支柱４の上端に固定するものである。このリング６としては、数巻き程度の金属コイルを使用してもよい。その場合には、リング６に有意な力が加わったとしても、前記係合部６４，６５でひとりでに切り離されるおそれがなくなるので、より安全なものとなる。
【００４６】
なお、ループ７の形状はもともと帯状のものを、袋体１の四隅において各支柱４を挿通可能に取り付けたものであるが、図１、図２に示すように、リング６を引っ掛けた状態では、そのループ７はリング６により上方に引っ張られて大きく変形している。ただし、後述するループ１２と異なり、このループ７はリング６に引っ掛けさえすればよいので、必ずしも支柱４を挿通する必要はない。
【００４７】
底板３は、例えば木製やプラスチック製の軽量のスノコ状のものであり、その断面は前記袋体１の底部の断面よりも若干小さい四角形状に形成されている。なお、底板３はその表面や裏面を適当に粗すか、或いは凹凸状や波形状とするなどして、いわゆる滑り止め加工を施していることが望ましい。これにより、底板３を袋体１内の底部に敷設し、この底板３上に前記椅子２を安定して載置することができるようになるとともに、被介護者を入浴させる際に、介護者がその被介護者を袋体１の底部内で足を滑らさないようにして椅子２まで支えていくことが容易となる。底板３の四隅には、それぞれ支柱４の雄螺子９ａをねじ込むことにより、支柱４を底板３上に立設するための螺子穴９が形成されている。
【００４８】
なお、図では明らかでないが、この底板３は二分割されており、各分割部分間がヒンジ止めされて折り畳めるようになっている。これにより、底板３を後述するバッグに収納して持ち運びやすくしている。
【００４９】
支柱４としては、例えばアルミニウムパイプ製やステンレスパイプ製の市販の伸縮ポールを４本揃えており、それらの上端部に前記袋体１のループ７にリング６を介して取り付けるための長孔５が形成されるとともに、中間部に長手方向に伸縮自在とし、或いはその伸縮させた状態の支柱４を所定位置で固定するための伸縮調整部８を備えており、底部には前記したように底板３の螺子穴９に螺子締めできる雄螺子９ａが切られている。なお、支柱４の上端部の長孔５に代えて丸穴等他の形状の穴を設けてもよい。
【００５０】
また、伸縮調整部８は、図８（ａ）に示すように、例えば支柱４の上下部分４１，４２間に嵌め込んだ楔体８１を、該楔体８１の周りに設けられたナット８２の回転により進退させることで、支柱４の上下部分４１，４１をかしめてその伸縮を規制し、或いは、このかしめ状態を解除してその伸縮をフリーとするものである。また、底板３の螺子穴９と支柱４の底部の雄螺子９ａとの組み合わせに代えて、底板３に植設されたスリーブに支柱４を螺合し、或いは、同スリーブに支柱４を嵌め込むようにしてもよい。
【００５１】
以下、本簡易風呂１００の組み立て・分解方法について説明する。図３は本簡易風呂を分解した状態を示す説明図、図４は本簡易風呂を組み立てる途中の様子を示す図であって、（ａ）は平面図、（ｂ）は正面図である。図５は本簡易風呂の組み立てが完了したときの様子を示す図であって、（ａ）は（ｂ）のＡ−Ａ断面図、（ｂ）はその一部を切り欠いた正面図である。なお、説明の便宜上、図３中の袋体１と支柱４とは正面図、底板３は平面図をそれぞれ示している。
【００５２】
それぞれ折り畳み或いは縮小させた状態の袋体１と底板３と４本の支柱４とからなる各パーツは、すべて図略のバッグ内に収められており、その全体の重量は２．６ｋｇ（発明者が実施モデルにて実測した値である。）程度と軽量であるがゆえに、旅行時に容易に持ち運びできる。ここでは、椅子２は持参することなく、旅行先等で用意されたものを使用することとしたが、別途椅子２を持参してもよいし、例えば介護の程度によっては、まったく椅子２を使用せずともよい場合があるのはもちろんである。
【００５３】
旅行先で、そのバッグから介護者が各パーツを取り出す。具体的には図３に示すように、袋体１を折り畳んだ状態のまま前記バッグから取り出し、その開放端を上向きにして例えば風呂場の床上に置く。その際、組み立て中又は組み立て後の簡易風呂１００の転倒を防止するために、できれば同風呂場の壁などを利用して、簡易風呂１００の少なくとも一側面をもたせ掛けるようにすることが望ましい。ついで、二つ折りした状態の底板３を取り出し、それを伸展させて袋体１内の底部に敷設する。ついで、縮小した状態の４本の支柱を取り出し、それらを回転させて各支柱４の底部の雄螺子９ａを、前記底板３の四隅の螺子穴９にそれぞれ螺合させる。
【００５４】
すると、図４（ａ）（ｂ）に示すように、袋体１内の底部に敷設した底板３上の四隅に、各支柱４を立設することができる。各支柱４の上端部の長孔５には、それぞれリング６が予め挿通されているが、未だリング６を挿通していない場合は、この段階でリング６を挿通すればよい。そして、椅子２を底板３上に載せた状態が前記図２に示したとおりである。このときには、排水栓１１は閉塞状態となっている。
【００５５】
ついで、介護者が被介護者を支えて前記椅子２に座らせた状態で、一旦袋体１を中間位置にまで伸展させる。その袋体１の最上部のループ７をリング６に引っ掛けることにより、そのループ７を各支柱４の上端部にそれぞれ係止させる。介護者がその伸縮調整部８を所定方向に回転させて各支柱４の伸縮をフリーにした上で、該各支柱４を引っ張り上げることにより、図５（ａ）（ｂ）に示すように、これらの支柱４とともに袋体１もさらに伸展させる。なお、図５（ａ）（ｂ）及び後述する図６（ａ）（ｂ）では、いずれも説明の便宜上、椅子２の表示を省略している。
【００５６】
本簡易風呂１００では、袋体１を伸展させる高さ位置を、被介護者の体格に応じて最適となるように設定することができる。そして、この設定した高さ位置で、介護者が袋体１の上端の開口部から手を入れて、各支柱４の伸縮調整部８を前記所定方向と逆方向に回転させて各支柱４の伸縮を規制する。これにより、各支柱４とともに、前記設定した高さ位置に袋体１を伸展させた状態で固定させることができる。
【００５７】
ついで、前記風呂場の図示しない浴槽や給湯栓にホースで接続したポンプ等を使用して、袋体１内に給湯する。そして、図１に示すように、湯面１０が被介護者の体格に応じた適当な高さ位置となったところで、給湯を停止する。給湯した状態の袋体１は、水圧により若干外側に膨らんだ状態となるが、これにより、被介護者は椅子２に座ったままゆったりとしたスペースで入浴することができるようになる。被介護者の入浴が終わった後、介護者は前記ポンプを再度使用して、袋体１内のお湯を前記風呂場の図示しない浴槽等に汲み出すが、残りのお湯は排水栓１１を開放して袋体１内のお湯を前記風呂場の床上等に完全に排出させることができる。
【００５８】
引き続き、上記と略逆順で簡易風呂１００の分解を行う。すなわち、介護者は袋体１の上部のループ７を、各支柱４の長孔５に係止してリング６から取り外す。すると、袋体１は重力落下して、もとの折り畳んだ状態に戻るので、介護者は椅子２に座ったままの被介護者を支えて袋体１から容易に外側に連れ出すことができる。
【００５９】
そして、各支柱４の伸縮調整部８を前記所定方向に回転させて該各支柱４の伸縮の規制を解除することにより、これらの支柱４を縮小させる。さらに、この縮小させた状態の各支柱４を回転させることにより、それらの底部の雄螺子９ａを底板３の螺子穴９から取り外す。ついで、底板３を袋体１から取り出して、二つに折り畳む。それぞれもとの状態に戻した各パーツを前記バッグに収納することにより、本簡易風呂１００を持ち運ぶことができるようになる。このようにして、本簡易風呂１００を旅行先等で容易に組み立てることができ、或いはこの組み立てたものを容易に分解することができる。
【００６０】
以上説明したように、本簡易風呂１００によれば、上部が開放された耐水性の袋体１と、この袋体１内の底部に敷設される底板３と、この底板３の四隅に立設され、かつ前記袋体１を伸展させたときの所定高さ位置に該袋体１を係止可能な支柱４とが備えられたので、従来例（特許文献１，２）のようにアームや水密ファスナーといった複雑な構造ではなくなり、安価なものとなる。
【００６１】
また、本簡易風呂１００を旅行先等に持ち運ぼうとしたときには、できるだけ軽量であることが好ましいが、ここでは底板３と支柱４とを袋体１内に設けているため、それらを小型化できる。したがって、従来例（特許文献３）と同程度の重量であるとすると、袋体１内の入浴スペースをより広くとることができる一方、前記従来例（特許文献３）と同程度の入浴スペースであるとすると、底板３と支柱４とをより小型化して、さらなる軽量化を図ることができる。
【００６２】
また、本簡易風呂１００によれば、袋体１を伸展させたときの支柱４に係止させる所定高さ位置を変えることにより、被介護者の体格の如何に応じて風呂自体の高さを調整することができるので、介護者が風呂外から被介護者を支えながら入浴させるときに、前記従来例（特許文献３）のように風呂自体の高さが邪魔にならず、使い勝手が良いものとなる。
【００６３】
さらに、本簡易風呂１００によれば、袋体１内の底部に置いた底板３上に椅子２を載せているが、椅子２の脚部が直接袋体１内の底部に接触しないので、その椅子２の脚部で袋体１内の底部を傷めることがなくなり、袋体１の寿命が長くなる。
【００６４】
また、本簡易風呂１００によれば、仮に介護者が支えた状態で被介護者を袋体１内の底部の底板３上に立たせたとしても、その被介護者の足には袋体１内の底部が直接接触して滑りやすくなるおそれがなく、安全である。したがって、前記従来例（特許文献２）のように被介護者を寝かせた状態で入浴させる場合に比べて風呂の設置スペースが小さくて済むとともに、前記従来例（特許文献１，３）に比べて被介護者を入浴させる際の介護者の負担が大幅に軽減される。
【００６５】
なお、上記実施形態１では、袋体１の断面形状を略四角形としているが、被介護者にとって広い入浴スペースを提供することができるのであれば、その他の多角形や円形であってもよい。また、底板３は二つ割のヒンジ止め構造にして折り畳みできるようにしているが、さらに細かく分割できるようにしてもよいし、前記ヒンジ構造の代わりに、嵌め込み構造としてもよく、さらに持ち運びに支障がなければ、特に折り畳む必要もない。
【００６６】
また、上記実施形態１では、介護者が袋体１を各支柱４とともに伸展させることにより、被介護者の体格に応じた高さ位置に設定するようにしているが、各支柱４を先に前記高さ位置まで伸張させた後に、袋体１を同高さ位置にまで伸展させて、そのループ７を、リング６を介して支柱４の上部の長孔５に係止させるようにしてもよい。その場合には、支柱４の伸縮調整部８が袋体１で邪魔されず、外部から容易に視認できるので、その操作がより簡単になる。
【００６７】
また、上記実施形態１では、支柱４をその伸縮調整部８を所定方向に回転させることにより各支柱４の伸縮をフリーとし、所定方向と逆方向に回転させることにより各支柱４の伸縮を規制するようにしているが、この伸縮調整部８に代えて、各支柱４を半自動的に伸縮させる伸縮調整部８０を備えても良い。
【００６８】
図８（ｂ）はそのような伸縮調整部の構造を示すものである。この伸縮調整部８０は、図８（ｂ）に示すように、支柱４の上下部分４１，４２間に設けられ、その下側部分４１に形成された穴８５内に埋設されたスプリング８４の弾性付勢力でもって出没自在に突出するボール８３を備えており、このボール８３を支柱４に形成された上側部分４２の複数の穴８６のいずれかに向けて移動させることにより、支柱４の上下部分４１，４２間を段階的に伸縮させるものである。このボール８３の移動を容易にするために、各穴８６の縁部には適当なアールやスロープが設けられている。
【００６９】
そして、この伸縮調整部８０では、介護者が各支柱４の上側部分４２を上方に引っ張り上げると、ボール８３がスプリング８４の弾性付勢力に抗して穴８５内に自動的に没入し、より下側の穴８６内に移動するので、該各支柱４を段階的に伸張させることができる。一方、介護者が各支柱４の上側部分４２を下方に押し下げると、この場合もボール８３がスプリング８４の弾性付勢力に抗して穴８５内に自動的に没入し、より上側の穴８６に移動するので、各支柱４を段階的に縮小させることができる。なお、スプリング８４の弾性付勢力は、介護者が各支柱４に力を加えないときには、各支柱４自身の重さや、お湯を漲った状態の袋体１の重さだけで勝手に縮小等しないように設定される。
【００７０】
したがって、この場合には、介護者が袋体１に都度手を入れて伸縮調整部８０を直接操作することなく、半自動的に各支柱４の伸縮動作を行うことができて非常に便利である。あるいは、伸縮調整部８，８０をまったく設けることなく、支柱全体の曲げ強度等が確保できれば、短い支柱を複数本つなぎ合わせるようにすれば、より簡単で安価な構成となる。
【００７１】
また、上記実施形態１では、袋体１の上部のループ７を、リング６を介して支柱４の上部の長孔５に係止させているだけであるが、袋体１の高さによっては、お湯を漲ったときの水圧による袋体１の膨らみが過大となる場合がある。そのような膨らみをできるだけ抑えるためには、次のような方法がある。なお、図６は本発明の変形例に係る簡易風呂の組み立てが完了したときの様子を示す図であって、（ａ）は（ｂ）のＢ−Ｂ断面図、（ｂ）はその一部を切り欠いた正面図である。
【００７２】
すなわち、本発明の変形例に係る簡易風呂１００ａでは、図６（ａ）（ｂ）に示すように、袋体１の前記ループ７の下位の高さ位置に、該ループ７と同様の複数のループ１２を設けておき、各ループ１２を支柱４に挿通することにより、水圧による袋体１の膨らみを小さくすることができる。ただし、各ループ１２のピッチは必ずしも等間隔とする必要はなく、前記水圧を考慮すると、下位になるほど密な配置にするのが好ましい。
【００７３】
また、この簡易風呂１００ｂでは、同図に示すように、袋体１の前記ループ７の下位の高さ位置における、該袋体１の外周に１又は複数のバンド（帯状体に相当する。）１３を巻き付けてマジックテープ（登録商標）などで固定することにより、袋体１の膨らみをさらに小さくすることができる。ただし、各バンド１３の幅とピッチとは必ずしも同じとする必要はなく、袋体１内にお湯を漲ったときの水圧を考慮すると、下位になるほど幅広にし、或いはピッチを密にするのが好ましい。
【００７４】
また、上記実施形態１では、各支柱４は底板３上に片持ち支持されており、それらの上部同士が離間しないように袋体１で連結されているのみであるので、連結部材１４を前記リング６内に挿通させることにより、各支柱４の上部同士がより離間しにくくなるようにすることができる。
【００７５】
この連結部材１４は、各支柱４の上部同士を全て連結するものであってもよいし、そのうちの一部のみを連結するものであってもよい。この連結部材１４の両端には、それぞれストッパ１５を設けて、連結部材１４が脱落しないようにするのが好ましい。
【００７６】
さらに、上記実施形態１およびその変形例では、本簡易風呂１００，１００ａの使用者として、例えば高齢者や身体障害者等の被介護者を例示しているが、健常者が本簡易風呂１００，１００ａを使用することとしてもよいことはもちろんである。
【００７７】
（実施形態２）
ところで、上記実施形態１では、袋体１の上部のループ７を、リング６を介して支柱４の上部の長孔５に係止させているだけであるが、袋体１の高さによっては、お湯を漲ったときの水圧による袋体１の膨らみが過大となる場合がある。そのような膨らみをできるだけ抑えるための方法として、すでに図８（ａ）（ｂ）に示すような変形例を説明した。ここでは、さらに膨らみを抑えるための方法を説明することとする。なお、図１２は本実施形態２に係る簡易風呂の組み立てが完了したときの様子を示す図であって、（ａ）は（ｂ）のＢ−Ｂ断面図、（ｂ）はその一部を切り欠いた正面図である。図１３は連結体の詳細構造を示す説明図であって、（ａ）は正面図、（ｂ）は（ａ）のＣ−Ｃ矢視図である。
【００７８】
本実施形態２に係る簡易風呂１００ｂでは、上記実施形態１の構成に加え、図１２（ａ）（ｂ）に示すように、支柱４を立設したときの高さ方向の所定箇所において、底板３の外縁に沿って隣り合う支柱４同士を着脱自在に連結する連結体１６と、袋体１の外周を囲むように取付け可能なバンド（帯状体に相当する。）１３と、連結部材１４と、袋体１とバンド１３との間に挿通可能な板状体１７とをさらに備えている。
【００７９】
連結体１６は、図１３（ａ）（ｂ）に示すように、例えばアルミニウムパイプ製やステンレスパイプ製の市販のポールであって、その両端に形成されＣ字状の開口を有する係止部１６ａと、係止部１６ａの基部に形成され該係止部１６ａの開口を広げるように弾性変形する爪部１６ｂとを備えている。前記開口は、支柱４が連結体１６の係止部１６ａに嵌め込まれる前には、その支柱４の断面よりも若干小さく設定されており、支柱４が連結体１６の係止部１６ａに嵌め込まれる最中には、爪部１６ｂが弾性変形されることにより広がって支柱４を通し、支柱４が連結体１６の係止部１６ａに嵌め込まれた後には、爪部１６ｂの弾性復帰されることにより狭まるようになっている。これにより、連結体６が支柱４の連結位置から自然にずれたり、外れたりすることのないようになっている。ここでは、例えば３段構成の場合を示しているので、合計１２本の連結体１６が用意されているが、１段或いは４段以上の構成であってもよい。
【００８０】
ただし、複数段の場合の各段間のピッチは必ずしも同じとする必要はなく、袋体１内にお湯を漲ったときの水圧を考慮すると、下位になるほどピッチを密にするのが好ましい。また、図１２（ａ）（ｂ）では明らかでないが、同一の支柱４に連結される連結体１６の係止部１６ａ同士や連結体１６と伸縮調整部８とが物理的に重ならないように、それらを若干ずらせて配置していることはいうまでもない（後述する図１０（ａ）（ｂ），図１１（ａ）（ｂ）についても同様である）。
【００８１】
板状体１７は、図９に示すように、底板３の四辺の長さと風呂高さとに対応した寸法を有する４枚の略四角形状の板からなり、例えばアクリル板やベニヤ板などの安価で軽量なものが用意されている。
【００８２】
バンド１３および連結部材１４については、上記実施形態１の変形例で述べた通りのものである。ただし、水圧による力の受け具合から、バンド１３のピッチは、前記連結体１６のピッチとできるだけ合わせるのが好ましい。
【００８３】
以下、本簡易風呂１００ｂの組み立て・分解方法について説明する。図９は本簡易風呂を分解した状態を示す説明図、図１０は本簡易風呂を組み立てる途中の第一段階の様子を示す図であって、（ａ）は平面図、（ｂ）は正面図である。図１１は本簡易風呂を組み立てる途中の第二段階の様子を示す図であって、（ａ）は（ｂ）のＡ−Ａ断面図、（ｂ）はその一部を切り欠いた正面図である。本簡易風呂１００ｂの組み立てが完了したときの様子は上記図１２に示した通りである。なお、説明の便宜上、図９中の袋体１と支柱４と連結体１６とは正面図、底板３は平面図、板状体１７とバンド１３とは部分展開図をそれぞれ示している。
【００８４】
それぞれ折り畳み或いは縮小させた状態の袋体１と底板３と４本の支柱４と１２本の連結体１６と４枚の板状体１７と３本のバンド１３と連結部材１４とからなる各パーツは、すべて図略のバッグ内に収められており、その全体の重量は上記実施形態１よりも連結体１６と板状体１７とバンド１３と連結部材１４の分だけ重くなるが、旅行時に容易に持ち運びできる程度のものに抑えている。ここでは、前記図１および図２に示したような椅子２は持参することなく、旅行先等で用意されたものを使用することとしたが、別途椅子２を持参してもよいし、例えば介護の程度によっては、まったく椅子２を使用せずともよい場合があるのはもちろんである。
【００８５】
旅行先で、そのバッグから介護者が各パーツを取り出す。具体的には図９に示すように、袋体１を折り畳んだ状態のまま前記バッグから取り出し、その開放端を上向きにして例えば風呂場の床上に置く。その際、組み立て中又は組み立て後の簡易風呂１００ｂの転倒を防止するために、できれば同風呂場の壁などを利用して、簡易風呂１００ｂの少なくとも一側面をもたせ掛けるようにすることが望ましい。ついで、二つ折りした状態の底板３を取り出し、それを伸展させて袋体１内の底部に敷設する。ついで、縮小した状態の４本の支柱を取り出し、それらを回転させて各支柱４の底部の雄螺子９ａを、前記底板３の四隅の螺子穴９にそれぞれ螺合させる。
【００８６】
すると、図１０（ａ）（ｂ）に示すように、袋体１内の底部に敷設した底板３上の四隅に、各支柱４を立設することができる。また各支柱４の上端部の長孔５には、それぞれリング６が予め挿通されているが、未だリング６を挿通していない場合は、この段階でリング６を挿通すればよい。そして、椅子２を底板３上に載せた状態が前記図２に示したとおりである。このときには、排水栓１１は閉塞状態となっている。
【００８７】
ついで、介護者が被介護者を支えて前記椅子２に座らせた状態で、各支柱４の最下部と中間部の２段において、それぞれ隣り合う支柱４同士を着脱自在に連結するように連結体１６を取り付ける。具体的には、図１３（ａ）（ｂ）において、前記支柱４に連結体１６の係止部１６ａの開口を押し付けて、爪部１６ｂをその開口の内側に弾性変形させることにより当該開口を広げて、支柱４に連結体１６の係止部１６ａが嵌め込まれる。このようにして支柱４に嵌め込まれた連結体１６は、弾性復帰した爪部１６ｂの働きにより、その支柱４の連結位置から自然にずれたり、抜け落ちたりすることが防止される。
【００８８】
一旦袋体１を中間位置にまで伸展させる。袋体１の最上部のループ７をリング６に引っ掛けることにより、そのループ７を各支柱４の上端部にそれぞれ係止させる。介護者がその伸縮調整部８を所定方向に回転させて各支柱４の伸縮をフリーにした上で、該各支柱４を引っ張り上げることにより、図１１（ａ）（ｂ）に示すように、これらの支柱４とともに袋体１もさらに伸展させる。なお、図１１（ａ）（ｂ）及び後述する図１２（ａ）（ｂ）では、いずれも説明の便宜上、椅子２の表示を省略している。
【００８９】
本簡易風呂１００ｂでも、上記実施形態１の簡易風呂１００やその変形例の簡易風呂１００ａと同様に、袋体１を伸展させる高さ位置を、被介護者の体格に応じて最適となるように設定することができる。そして、この設定した高さ位置で、介護者が袋体１の上端の開口部から手を入れて、各支柱４の伸縮調整部８を前記所定方向と逆方向に回転させて各支柱４の伸縮を規制する。これにより、各支柱４とともに、前記設定した高さ位置に袋体１を伸展させた状態で固定させることができる。このときの各支柱４の最上部において、隣り合う支柱同士を連結するように連結体１６を取り付けて、合計３段構成の連結体１６とする。
【００９０】
そして、袋体１の外周の各面に板状体１７をそれぞれ沿わせることで、当該袋体１の外周の全面を板状体１７で被覆する。そして、これらの板状体１７の上から、バンド１３を適宜高さ位置にて巻き付けてマジックテープ（登録商標）などで固定すると、図１２（ａ）（ｂ）に示したような簡易風呂１００ｂが完成する。
【００９１】
ついで、前記風呂場の図示しない浴槽や給湯栓にホースで接続したポンプ等を使用して、袋体１内に給湯する。そして、上記図１と同様に、湯面が被介護者の体格に応じた適当な高さ位置となったところで、給湯を停止する。給湯した状態の袋体１は、上記実施形態１とは異なり、水圧によりほとんど膨らまないが、このときでも袋体１は支柱４の外側にあるので、被介護者は比較的ゆったりとしたスペースで入浴することができるようになる。被介護者の入浴が終わった後、介護者は前記ポンプを再度使用して、袋体１内のお湯を前記風呂場の図示しない浴槽等に汲み出すが、残りのお湯は排水栓１１を開放して袋体１内のお湯を前記風呂場の床上等に完全に排出させることができる。
【００９２】
引き続き、上記と略逆順で本簡易風呂１００ｂの分解を行う。すなわち、介護者はバンド１３と板状体１７とをそれぞれ取り外した後、袋体１の上部のループ７を、各支柱４の長孔５に係止してリング６から取り外す。すると、袋体１は重力落下して、もとの折り畳んだ状態に戻るので、手前側の各支柱４の最下部と中間部と最上部の連結体１６だけを取り外す。具体的には、図１３（ａ）（ｂ）において、前記連結体１６を押圧することで、この連結体１６の係止部１６ａの開口から支柱４を相対的に押し出し、その爪部１６ｂを弾性変形させることによりその開口を広げて、支柱４から連結体１６を取り外す。手前の連結体１６だけを全段取り外せば、介護者は椅子２に座ったままの被介護者を支えて袋体１から容易に外側に連れ出すことができる。その後に、残りの連結体１６を取り外せばよい。
【００９３】
そして、各支柱４の伸縮調整部８を前記所定方向に回転させて該各支柱４の伸縮の規制を解除することにより、これらの支柱４を縮小させる。さらに、この縮小させた状態の各支柱４を回転させることにより、それらの底部の雄螺子９ａを底板３の螺子穴９から取り外す。ついで、底板３を袋体１から取り出して、二つに折り畳む。それぞれもとの状態に戻した各パーツを前記バッグに収納することにより、本簡易風呂１００ｂを持ち運ぶことができるようになる。このようにして、この簡易風呂１００ｂを旅行先等で容易に組み立てることができ、或いはこの組み立てたものを容易に分解することができる。
【００９４】
以上説明したように、本簡易風呂１００ｂによれば、上記実施形態１の作用効果に加えて、適当な高さ位置で支柱４同士が連結体１６で着脱自在に連結され、袋体１が板状体１７で補強され、その板状体１７がさらにバンド１３で固定されることにより、袋体１にお湯を漲ったときの水圧により確実に耐えて、袋体１内の入浴スペースをできるだけ広くすることができる。
【００９５】
なお、上記実施形態２では、板状体１７は、底板３の四辺の長さと風呂高さとに対応した寸法を有する４枚の略四角形状の板材からなるものとしているが、底板３の形状等によっては、より少ない枚数、或いは、より多くの枚数の板材からなるものとしてもよい。また、その高さは前記風呂高さよりも低くしてもよい。板状体１７の形状についても、略四角形に限定されない。さらに、簡易風呂１００ｂの使用者として、例えば高齢者や身体障害者等の被介護者を例示しているが、健常者が本簡易風呂１００ｂを使用することとしてもよいことはもちろんである。
【００９６】
また、上記実施形態２では、隣り合う支柱４同士を連結する連結体１６を設けた上で、袋体１の外周の四面をすべて板状体１７で被覆し、さらにその上にバンド１３を巻き付けて各板状体１７を固定しているが、板状体１７同士をヒンジや留め金等で連結することとしてもよい。これにより、バンド１３と連結体１６の少なくとも一方を省略し、少なくとも板状体１７で袋体１を補強して、この袋体１の膨らみを少なくすることができる。或いは、板状体１７を省略して、連結体１６とバンド１３の少なくとも一方で袋体１を補強して、この袋体１の膨らみを少なくすることもできる。
【図面の簡単な説明】
【００９７】
【図１】本発明の実施形態１に係る簡易風呂の概略構成を示す斜視図である。
【図２】本簡易風呂の組み立て中の様子を示す斜視図である。
【図３】本簡易風呂を分解した状態を示す説明図である。
【図４】本簡易風呂を組み立てる途中の様子を示す図であって、（ａ）は平面図、（ｂ）は正面図である。
【図５】本簡易風呂の組み立てが完了したときの様子を示す図であって、（ａ）は（ｂ）のＡ−Ａ断面図、（ｂ）は一部を切り欠いた正面図である。
【図６】本発明の変形例に係る簡易風呂の組み立てが完了したときの様子を示す図であって、（ａ）は（ｂ）のＢ−Ｂ断面図、（ｂ）は一部を切り欠いた正面図である。
【図７】リングの構造を示す説明図であって、（ａ）は左右のリング本体の結合時、（ｂ）は切り離し時をそれぞれ示すものである。
【図８】伸縮調整部の構造を示す説明図であって、（ａ）は本発明の一実施形態に係る伸縮調整部の構造を示すものであり、（ｂ）は本発明の変形例に係る伸縮調整部の構造を示すものである。
【図９】本発明の実施形態２に係る簡易風呂を分解した状態を示す説明図である。
【図１０】本実施形態２に係る簡易風呂を組み立てる途中の第一段階の様子を示す図であって、（ａ）は平面図、（ｂ）は正面図である。
【図１１】本実施形態２に係る簡易風呂を組み立てる途中の第二段階の様子を示す図であって、（ａ）は（ｂ）のＡ−Ａ断面図、（ｂ）は一部を切り欠いた正面図である。
【図１２】本実施形態２に係る簡易風呂の組み立てが完了したときの様子を示す図であって、（ａ）は（ｂ）のＢ−Ｂ断面図、（ｂ）は一部を切り欠いた正面図である。
【図１３】連結体の詳細構造を示す説明図であって、（ａ）は正面図、（ｂ）は（ａ）のＣ−Ｃ矢視図である。
【符号の説明】
【００９８】
１００，１００ａ，１００ｂ  簡易風呂
１  袋体
２  椅子
３  底板
４  支柱
５  長孔
６  リング
７，１２  ループ（係止部に相当する。）
８，８０  伸縮調整部
８ａ  補強部
９  螺子穴
９ａ  雄螺子
１０  湯面
１１  排水栓
１３  バンド（帯状体に相当する。）
１４  連結部材
１５  ストッパ
１６  連結体
１６ａ  連結体の係止部
１６ｂ  連結体の爪部
１７  板状体
【図１】
2007283133.tif 000003
【図２】
2007283133.tif 000004
【図３】
2007283133.tif 000005
【図４】
2007283133.tif 000006
【図５】
2007283133.tif 000007
【図６】
2007283133.tif 000008
【図７】
2007283133.tif 000009
【図８】
2007283133.tif 000010
【図９】
2007283133.tif 000011
【図１０】
2007283133.tif 000012
【図１１】
2007283133.tif 000013
【図１２】
2007283133.tif 000014
【図１３】
2007283133.tif 000015